(57)【要約】      （修正有）【課題】磁石の紛失や破損を抑制可能な磁石ケース、及び磁石セットを提供する。【解決手段】磁石ケース１０は、ケース本体１と、蓋２とを備える。ケース本体１は、底面１１と、側壁１２と、複数の磁石３〜６を収納する複数の収納スペース１３〜１６とを有している。複数の収納スペース１３〜１６は、全て、磁石３〜６の落下を防止する落下防止手段を有している。落下防止手段は、フック１８ａ〜１８ｄから構成してもよく、２つの挟持片により磁石を挟持するよう構成してもよい。底面１１は、磁石３〜６を載置する部分に磁石脱着用貫通孔を有し、底面の外側から磁石脱着用貫通孔を通して鉛筆の先等の細い棒状物で磁石を突き上げることにより、磁石を脱着可能に構成されていることが好ましい。ケース本体と蓋を固定するロック手段を備えることが好ましい。【選択図】図１
0003206287.tif 000002
【実用新案登録請求の範囲】
【請求項１】
形状の異なる複数の磁石を収納する磁石ケースであって、
磁石を収納するケース本体と、
前記ケース本体を閉塞する蓋と
を備え、
前記ケース本体は、上方に開口し、底面と、前記底面の周縁に沿って設けられる側壁と、前記複数の磁石を個別に収納する複数の収納スペースとを有し、
前記複数の収納スペースは、全て、磁石の落下を防止する落下防止手段を有することを特徴とする磁石ケース。
【請求項２】
前記複数の収納スペースのうち、少なくとも１つの収納スペースの落下防止手段が、磁石に係止するフックからなる請求項１に記載の磁石ケース。
【請求項３】
前記複数の収納スペースのうち、少なくとも１つの収納スペースの落下防止手段が、前記底面から突設される少なくとも２つの挟持片からなり、当該２つの挟持片により磁石を挟持するよう構成されている請求項１、又は請求項２に記載の磁石ケース。
【請求項４】
前記底面は、磁石を載置する部分に磁石脱着用貫通孔を有し、前記底面の外側から当該磁石脱着用貫通孔を通して棒状物で磁石を突き上げることにより、磁石を脱着可能に構成されている請求項１から請求項３のいずれか１項に記載の磁石ケース。
【請求項５】
前記ケース本体と前記蓋を固定するロック手段を備える請求項１から請求項４のいずれか１項に記載の磁石ケース。
【請求項６】
形状の異なる複数の磁石と、請求項１から請求項５のいずれか１項に記載の磁石ケースとを備える磁石セット。
【考案の詳細な説明】
【技術分野】
【０００１】
本考案は、形状の異なる複数種類の磁石を収納する磁石ケース、及び複数種類の磁石と磁石ケースとを備えた磁石セットに関する。
【背景技術】
【０００２】
従来、小学校の理科の授業では、Ｕ字磁石や棒磁石、リング状磁石、ゴム磁石を備えた磁石セットが広く用いられている。かかる磁石セットは、各磁石専用の収納スペースが設けられた磁石ケースを備えている。
【０００３】
そして、この理科の授業では、異なる磁石を用いて複数種の実験を行うことから、磁石セットの収納ケースは、各磁石がすぐに取り出せるよう構成されている必要がある。
【０００４】
そこで、かかる磁石セットの収納ケースは、磁石を上下に重ねることなく平面上に並べて収納すべく偏平に設けられるとともに、蓋が大きく開くよう構成されている（例えば、特許文献１参照）。因みに、特許文献１の磁石セットは、扁平円筒形の容器本体の軸心に心棒を取り付け、容器本体を独楽として回すアイデアを提案したものである。
【先行技術文献】
【特許文献】
【０００５】
【特許文献１】実用新案登録第３１１４６９８号
【考案の概要】
【考案が解決しようとする課題】
【０００６】
しかし、特許文献１のような収納ケースでは、磁石が取り出しやすいものの、ケースを裏返すと磁石が全て落ちてしまい、磁石が紛失したり、フェライト性の磁石が破損したりする問題が有る。
【０００７】
本考案は上記課題に鑑みてなされたものであり、磁石の紛失や破損を抑制可能な磁石ケース、及び磁石セットの提供を目的とする。
【課題を解決するための手段】
【０００８】
上記課題を解決するためになされた考案は、形状の異なる複数の磁石を収納する磁石ケースであって、磁石を収納するケース本体と、前記ケース本体を閉塞する蓋とを備え、前記ケース本体は、上方に開口し、底面と、前記底面の周縁に沿って設けられる側壁と、前記複数の磁石を個別に収納する複数の収納スペースとを有し、前記複数の収納スペースは、全て、磁石の落下を防止する落下防止手段を有することを特徴とする。
【０００９】
このように、本考案の磁石ケースでは、全ての収納スペースに落下防止手段を設けたため、ケース本体を引っ繰り返しても、１つの磁石も落下することがない。
【００１０】
前記複数の収納スペースのうち、少なくとも１つの収納スペースの落下防止手段が、磁石に係止するフックからなることが好ましい。こうすることで、より効果的に磁石の落下を抑制できる。
【００１１】
前記複数の収納スペースのうち、少なくとも１つの収納スペースの落下防止手段が、前記底面から突設される少なくとも２つの挟持片からなり、当該２つの挟持片により磁石を挟持するよう構成されていることが好ましい。
こうすることで、磁石の取り出し易さを犠牲にすることなく、磁石の落下を防止することができる。
【００１２】
前記底面は、磁石を載置する部分に磁石脱着用貫通孔を有し、前記底面の外側から当該磁石脱着用貫通孔を通して棒状物で磁石を突き上げることにより、磁石を脱着可能に構成されていることが好ましい。こうすることで、容易に磁石を取り出すことができる。
【００１３】
本考案の磁石ケースは、前記ケース本体と前記蓋を固定するロック手段を備えることが好ましい。こうすることで、蓋が外れて磁石が散らばることを抑制できる。
【００１４】
本考案は、形状の異なる複数の磁石と上記の磁石ケースとを備える磁石セットを含む。
【考案の効果】
【００１５】
以上説明したように、本考案の磁石ケースによれば、磁石の紛失や破損を抑制できる。
【図面の簡単な説明】
【００１６】
【図１】本考案の第１実施形態に係る磁石セットを、蓋を開けた状態で示した斜視図である。
【図２】図１に示した磁石ケースの蓋を閉じた様子を上方（表側）から見た斜視図である。
【図３】図１に示した磁石ケースの蓋を閉じた様子を下方（裏側）から見た斜視図である。
【図４】図１に示した磁石ケースの（ａ）ケース本体のみの斜視図、（ｂ）蓋を表側（外側）から見た斜視図である。
【図５】図１に示した磁石セットの（ａ）Ｕ字磁石及びゴム磁石をフックで固定する様子を示す要部断面図、（ｂ）棒磁石をフックで固定する様子を示す要部断面図である。
【図６】本考案の第２実施形態に係る磁石セットにおいて、磁石を挟持片で挟持する様子を示した要部断面図である。
【考案を実施するための形態】
【００１７】
以下、適宜図面を用いながら本考案の実施形態について詳述する。ただし、本考案は、以下の実施形態に限定されるものではない。
（第１実施形態）
図１は、本考案の第１実施形態に係る磁石セット１００を示している。磁石セット１００は、図１に示すように、磁石ケース１０と、１個のＵ字磁石３と、２個の直柱状の棒磁石４と、３個の円環状の丸磁石５と、１個の板状のゴム磁石６とを備えている。Ｕ字磁石３、棒磁石４、及び丸磁石５は、フェライト磁石からなる。
磁石ケース１０は、それぞれ樹脂により成型されるケース本体１と、蓋２とからなり、蓋２をケース本体１に固定するロック手段７（図２、図３参照）を備えている。磁石ケース１０は、蓋２を閉じた状態では、図２に示すように、略円盤状となる。
【００１８】
ケース本体１は、図４（ａ）に示すように、円板状の底壁１１の周縁から側壁１２が上方に向けてやや拡径するように立設され、上方に開口する概ね扁平の有底円筒形状をなす皿型に形成されている。側壁１２は、径方向に対向する位置に平面視で弦状に表れる一対の平面部１２ａ，１２ａに、いわゆるＰＰヒンジによりフラップ状に揺動する掛け部材１２ｂ，１２ｂが設けられている。掛け部材１２ｂには、矩形の係止孔１２ｃが設けられている。また、側壁１２の開口周縁には、蓋２に嵌合する鍔部１２ｄが設けられている。
そして、ケース本体１の内部には、図４（ａ）に示すように、各磁石３，４，５，６を専用に収納する収納スペース１３，１４，１５，１６が設けられ、磁石３〜６を拘束すべく、底壁１１に立壁１７（１７ａ〜１７ｇ）が垂設されている。
【００１９】
収納スペース１３〜１６には、ケース本体１を引っ繰り返した際に、磁石３〜６の落下を防止するフック（落下防止手段）１８（１８ａ〜１８ｄ）が設けられている。
【００２０】
収納スペース１３は、図４（ａ）に示すように、ケース本体１の中央に設けられ、Ｕ字磁石３を収納する。収納スペース１３は、平行に一対設けられた立壁１７ａ，１７ａと、一対の立壁１７ａ，１７ａ間を横断する立壁１７ｂと、ケース本体１の中心に突設される円筒状の立壁１７ｆと、立壁１７ｆに隣接して立壁１７ｂの反対側に設けられる平面視矩形の立壁１７ｅとにより平面視でロ字形に形成され、Ｕ字磁石３は、円弧状部分を立壁１７ｂと立壁１７ｆの間に配設し、両端を立壁１７ａと立壁１７ｅの間に配設して、収納スペース１３に収納される。また、立壁１７ａには１箇所、立壁１７ｂには２箇所の指を入れるための湾入部１７１が設けられている。
【００２１】
立壁１７ｂの長さ方向の中央には、Ｕ字磁石３の円弧状部に外側から係止するフック１８ａ（落下防止手段）が設けられている。フック１８ａは、図５（ａ）に示すように、立壁１７ｆと対向するよう垂設された板片状の基部１８１と基部１８１の先端を鎌状に曲げた一対の係止用部１８２，１８２を備えている。
【００２２】
また、収納スペース１３は、図３に示すように、収納したＵ字磁石３の両端部の下側に位置して底壁１１に設けられた一対の磁石脱着用貫通孔１３ａ，１３ａとＵ字磁石３の円弧状部の下側に位置して設けられる磁石脱着用貫通孔１３ｂとを備えている。
【００２３】
棒磁石４を収納する収納スペース１４は、図４（ａ）に示すように、収納スペース１３を挟むようにして一対が設けられている。収納スペース１４は、立壁１７ａと、側壁１２から立壁１７ａに対し垂直に延出する一対の立壁１７ｃ，１７ｃと、立壁１７ｃ，１７ｃを挟んで立壁１７ａに対向するよう設けられる一対のフック１８ｂ，１８ｂにより形成される。棒磁石４は、立壁１７ａに沿って収納され、フック１８ｂ，１８ｂによりケース本体１からの落下が防止される。フック１８ｂは、図５（ｂ）に示すように、基部１８１と１個の係止用部１８２を備えている。
【００２４】
また、収納スペース１４は、図３に示すように、収納した棒磁石４の両極部分の下側に位置して、底壁１１に磁石脱着用貫通孔１４ａを備えている。磁石脱着用貫通孔１４ａは、１つの収納スペース１４に１対ずつ、両方の収納スペース１４で計２対４個が設けられている。
【００２５】
丸磁石５は、収納スペース１５に収納される。収納スペース１５は、図４（ａ）に示すように、平面視で矩形をなす立壁１７ｅにより囲繞されている。立壁１７ｅの一対の長辺中央には、互いに対向するように一対のフック１８ｃ，１８ｃが設けられている。収納スペース１５には、図１（ａ）に示すように、３個の丸磁石を円筒状に重ね、両端の磁石の内側にフック１８ｃを係止させて収納する。収納スペース１５は、収納した３個の丸磁石５のうち両端の丸磁石５の下側に位置して底壁１１に設けられる一対の磁石脱着用貫通孔１５ａを備えている。
【００２６】
ゴム磁石６は、図１に示すように、収納スペース１６に収納される。収納スペース１６は、立壁１７ｂと、立壁１７ｂに対し平面視で垂直に配設される一対の立壁１７ｄ，１７ｄとにより形成される。ゴム磁石６は、幅方向を底壁に垂直にして立壁１７ｂに沿って収納スペース１６に収納される。
【００２７】
また、立壁１７ｄの両側には、立壁１７ｄ、フック１８ｄ、及び立壁１７ｇより形成される一対の丸磁石セットスペース１５１，１５１が設けられている。一対の立壁１７ｄ，１７ｄは、側壁１２の高さを超えて突出するよう設けられ、先端が三角形に尖るよう形成されるとともに、連結部１７２により連結されて、丸磁石発射台１９を形成している。また、一対の立壁１７ｄ，１７ｄの間には、底壁１１と側壁１２に亘って開口する丸磁石差し込み用スリット１１ａ（図３参照）が設けられている。丸磁石差し込み用スリット１１ａは、ゴム磁石６を収納する収納スペース１６にまで延出しており、ゴム磁石６を脱着させるために用いる磁石脱着用貫通孔を兼ねている。
【００２８】
蓋２は、図１に示すように略円形をなし、ドーム状の天壁２１と天壁２１の周壁からやや拡径しながら垂下する側壁２２により、扁平の有蓋円筒状に形成され、径方向を挟んで設けられる一対の平面部２２ａ，２２ａに先端縁に沿って係止条２２ｃを備えた矩形板状の受け片２２ｂが設けられている。受け片２２ｂは、ケース本体１の掛け部材１２ｂの係止孔１２ｃに係合して、蓋２をケース本体１にロックする。
【００２９】
蓋２は、一対の受け片２２ｂ，２２ｂの対向する方向と直交する方向に対峙する一対の矩形の案内孔２１ａを備えている。蓋２の案内孔２１ａに丸磁石発射台１９を挿通することにより、ケース本体１の掛け部材１２ｂと蓋２の受け片２２ｂの位置を合わせることができる。
【００３０】
蓋２の内側には、側壁２２とともに案内孔２１ａを取り囲む立壁２７ａと、中心部に配設される円筒状の立壁２７ｃと、立壁２７ｃを挟むように設けられる一対の板状の立壁２７ｃと円環状の立壁２７ｄとを備えている。
【００３１】
ロック手段７は、図２、図３に示すように、ケース本体１の掛け部材１２ｂと、蓋２の受け片２２ｂとからなり、受け片２２ｂに掛け部材１２ｂの係止孔１２ｃを通して、係止孔１２ｃに係止条２２ｃを引き掛けることにより、ケース本体１に蓋２をロックする。
【００３２】
磁石セット１００を用いる際には、掛け部材１２ｂを図１に示したように倒して受け片２２ｂから脱着し、蓋２を開ける。この際、ケース本体１を裏返しても、磁石３〜６は、フック１８ａ，１８ｂ，１８ｃにより係止されて落下しない。磁石３〜６を取り出す際には、鉛筆の先等を底壁１１の外側から、磁石脱着用貫通孔１３ａ，１３ｂ，１４ａ，１５ａ、又は丸磁石差し込み用スリット１１ａに差し込んで、磁石３〜６を突き出す。
【００３３】
因みに、円筒状の立壁１７ｆには鉛筆を立てることができ、鉛筆の芯でＵ字磁石３をヤジロベエ状に支持して、Ｕ字磁石が磁針のように南北を示す実験を行うことができる。
また、蓋２の円筒状の立壁２７ｂにも鉛筆を立てることができ、鉛筆に環装した３個の丸磁石５が磁力より浮揚する様子や、この鉛筆に環装した丸磁石５に棒磁石４を近づけて鉛筆が蓋２とともに搖動する様子を観察することができる。
さらに、一対の丸磁石セットスペース１５１，１５１に、それぞれ丸磁石５を極の向きを揃えて装填し、丸磁石差し込み用スリット１１ａに丸磁石５を差し込むと、差し込んだ丸磁石５が丸磁石発射台１９から飛び出す様子を観察することができる。
【００３４】
（第２実施形態）
図６は、本考案の第２実施形態に係る磁石セット２００において、磁石２０３を固定する様子を示したものである。第２実施形態ではフックを用いず、対向する挟持片（落下防止手段）２１７，２１７により挟持することにより、ケース本体１を引っ繰り返した際の磁石２０３の落下を防止する。落下防止手段２１７は、収納スペース１３〜１６を仕切る立壁を兼ねている。図６の例では、挟持片２１７、２１７は、互いに平行な板状片からなるが、例えば、第１実施形態の立壁１７ａと立壁１７ｃのように、平面視で互いに垂直な板状片により形成してもよい。尚、第２実施形態において、第１実施形態と共通する部材は、同一符号を付して説明を省略する。
【００３５】
本考案は、上記の実施形態に限られるものではなく、例えば、落下防止手段として、一部の収納スペースにはフックを用い、他の収納スペースには挟持片を用いるようにしてもよい。また、フックが挟持片を兼ねてもよい。磁石脱着用貫通孔、及びロック手段はなくともよい。ロック手段は、上記の形態に限らず他の公知のロック機構を適宜に用いることができる。磁石は上記の磁石に限らず、他の形状、材質の磁石を適宜に用いることができる。ケース本体は、非磁性体であれば、樹脂以外の材質を適宜に用いることができる。
【符号の説明】
【００３６】
１００，２００  磁石セット
１０  磁石ケース
１  ケース本体
１１  底面
１２  側壁
１３，１４，１５，１６  収納スペース
１３ａ，１３ｂ，１４ａ，１５ａ，１５１ａ  磁石脱着用貫通孔
１１ａ  丸磁石差し込み用スリット（磁石脱着用貫通孔）
１８  フック（落下防止手段）
２  蓋
３  Ｕ字磁石
４  棒磁石
５  丸磁石
６  ゴム磁石
７  ロック手段
２１７  挟持片（落下防止手段）
【図１】
0003206287.tif 000003
【図２】
0003206287.tif 000004
【図３】
0003206287.tif 000005
【図４】
0003206287.tif 000006
【図５】
0003206287.tif 000007
【図６】
0003206287.tif 000008